【手続補正書】
【提出日】平成19年5月1日(2007.5.1)
【手続補正１】
【補正対象書類名】明細書
【補正対象項目名】特許請求の範囲
【補正方法】変更
【補正の内容】
【特許請求の範囲】
【請求項１】
電気通信ネットワークを管理する動作支援構造において用い、ネットワーク・リソースに関する情報を収容するサービスおよびリソース・データベース装置を備えたリソース・ハンドラであって、
前記電気通信ネットワーク内の各リソースが存在時間および場所を親／子関係の階層状で有するように前記リソース・データベース装置を構築し、
前記リソースを以下のデータによって、即ち、
その機能の抽象的記述の形態で特性が関連付けられているポイント（１１）識別子と、
共に属すると見なされる一群のポイント（１１）の意味における共通ネットワーク・エレメント（１０）の抽象化と、
２つの接続したポイント（１１）により規定する接続（１２）と、によって定義することを特徴とするリソース・ハンドラ。
【請求項２】
請求項１記載のリソース・ハンドラにおいて、前記ポイント（１１）識別子は、ラベル／値対のリストという形態でも特性が関連付けられていることを特徴とするリソース・ハンドラ。
【請求項３】
請求項１または２記載のリソース・ハンドラにおいて、前記エレメント（１０）は、ポイント（１１）のコンテナとして作用し、エレメント（１０）上のポイント（１１）は、相互接続が可能であるという暗示的特性を有することを特徴とするリソース・ハンドラ。
【請求項４】
請求項１から３のいずれか１項に記載のリソース・ハンドラにおいて、前記リソース・データベース装置をトポロジ・ビュー、例えば、どのようにリソース同士を接続するかについてモデル化を行うように構築することを特徴とするリソース・ハンドラ。
【請求項５】
請求項１から４のいずれか１項に記載のリソース・ハンドラにおいて、前記リソース・データベース装置を時間ビュー、例えば、いつ前記リソースが存在するかについてモデル化を行うように構築することを特徴とするリソース・ハンドラ。
【請求項６】
請求項１から５のいずれか１項に記載のリソース・ハンドラにおいて、前記リソース・データベース装置を階層ビュー、例えば、リソースを親／子関係において、どのように関係付けるかについてモデル化を行うように構築することを特徴とするリソース・ハンドラ。
【請求項７】
請求項１から６記載のいずれか１項に記載のリソース・ハンドラにおいて、特性ビューを例えば、各リソースの特性のリストによってモデル化するように前記リソース・データベース装置を構築することを特徴とするリソース・ハンドラ。
【請求項８】
請求項１から７のいずれか１項に記載のリソース・ハンドラにおいて、前記リソース・データベース装置を使用ビュー、即ち、どのリソースを組合わせて完全なサービス・インスタンスを形成するか、および当該サービス・インスタンスが存在する時間についてモデル化するように構築することを特徴とするリソース・ハンドラ。
【請求項９】
請求項４から８記載のリソース・ハンドラにおいて、前記トポロジ・ビュー、前記時間ビュー、前記階層ビュー、前記特性ビューおよび前記使用ビューをデータ・モデルに統合化し、各リソースの制御およびその使用をサービス・インスタンスにおいて可能とすることを特徴とするリソース・ハンドラ。
【請求項１０】
請求項１から９のいずれか１項に記載のリソース・ハンドラにおいて、前記リソース・データベース装置をリソース種別およびリソース・インスタンスを収容する第１のデータベースと、サービス種別およびサービス・インスタンスを収容する第２のデータベースとに分離することを特徴とするリソース・ハンドラ。
【請求項１１】
請求項１から１０のいずれか１項に記載のリソース・ハンドラにおいて、リソースおよび／サービス属性を種別化し、前記種別化によって属性種別間の区別を可能とすることを特徴とするリソース・ハンドラ。
【請求項１２】
電気通信ネットワークを管理するためにネットワーク・リソースに関する情報を収容するサービスおよびリソース・データベース装置を備える動作支援構造において用いるリソース・ハンドラ・データベースにおける情報構築方法であって、
前記電気通信ネットワークにおける各リソースに存在時間および場所を親／子関係の階層状に割り当てるステップと、
前記各リソースを以下のデータによって、即ち、
その機能の抽象的記述の形態で特性が関連付けられているポイント（１１）識別子と、
共に属すると見なされる一群のポイント（１１）の意味における共通ネットワーク・エレメント（１０）の抽象化と、
２つの接続したポイント（１１）により規定する接続（１２）と、によって定義するステップと、を特徴とする方法。
【請求項１３】
請求項１２記載の方法において、ラベル／値対のリストという形態で前記ポイント（１１）識別子を特性と関連付けるステップを特徴とする方法。
【請求項１４】
請求項１２または１３記載の方法において、エレメント（１０）上のポイント（１１）は、相互接続が可能であるという暗示的特性を有して前記エレメント（１０）をポインタ（１１）のコンテナとして作用させるステップを特徴とする方法。
【請求項１５】
請求項１２から１４のいずれか１項に記載の方法において、トポロジ・ビュー、例えば、どのようにリソース同士を接続するかについてモデル化を行うように前記リソース・データベース装置を構築するステップを特徴とする方法。
【請求項１６】
請求項１２から１５のいずれか１項に記載の方法において、時間ビュー、例えば、いつ前記リソースが存在するかについてモデル化を行うように前記リソース・データベース装置を構築するステップを特徴とする方法。
【請求項１７】
請求項１２から１６のいずれか１項に記載の方法において、階層ビュー、即ちリソースを親／子関係において、どのように関係付けるかについてモデル化を行うように前記リソース・データベース装置を構築するステップを特徴とする方法。
【請求項１８】
請求項１２から１７記載のいずれか１項に記載の方法において、特性ビューを、例えば、各リソースの特性のリストによってモデル化するように前記リソース・データベース装置を構築するステップを特徴とする方法。
【請求項１９】
請求項１２から１８のいずれか１項に記載の方法において、使用ビュー、即ち、どのリソースを組合わせて完全なサービス・インスタンスを形成するかについて、および当該サービス・インスタンスが存在する時間についてモデル化するように前記リソース・データベース装置を構成するステップを特徴とする方法。
【請求項２０】
請求項１５から１９記載の方法において、前記トポロジ・ビュー、前記時間ビュー、前記階層ビュー、前記特性ビューおよび前記使用ビューをデータ・モデルに統合化し、各リソースの制御およびその使用をサービス・インスタンスにおいて可能とするステップを特徴とする方法。
【請求項２１】
請求項１２から２０のいずれか１項に記載の方法において、
前記リソース・データベース装置を２つの別個のデータベースに分離するステップと、
前記別個のデータベースの一方にリソース種別データおよびリソース・インスタンス・データを収容するステップと、
前記別個のデータベースの他方にサービス種別データおよびサービス・インスタンス・データを収容するステップと、を含むことを特徴とする方法。
【請求項２２】
請求項１２から２０のいずれか１項に記載の方法において、
リソースおよび／またはサービス属性に種別を割り当てるステップと、
前記属性種別を用いて異なる属性種別間の区別を行うステップと、を含むことを特徴とする方法。
【請求項２３】
電気通信ネットワーク用動作支援構造におけるサービス種別ハンドラに対してサービス種別処方およびそれらの関係を作成し維持する請求項１から１１のいずれか１項に記載のリソース・ハンドラの使用。
【請求項２４】
請求項２３記載の使用において、前記サービス種別処方は、サービス種別に対するフレームワークと、サービス種別に関する動作と、サービス種別に関するパラメータと、サービス種別間の階層関係と、階層パラメータ関係と、サービス種別および関連するパラメータ値のリソース要件およびサービス種別要件への変換を与える使用。
【請求項２５】
請求項２３および２４のいずれか１項に記載の使用であって、異なる種別の要求サービス、異なる種別の要求リソースおよび異なるサービス・インスタンス間で選択を行うための使用。
【請求項２６】
請求項２５記載の使用において、前記選択したリソース要件をリソース・ハンドラに転送し、実際のリソース割当てを行う使用。